(57)【要約】【課題】安定した伝搬環境下で携帯端末のソフトウェアをダウンロードすることができ、携帯端末のソフトウェアについて不具合を起こす危険性を低減しながら、安全にそのソフトウェアを更新できる携帯端末用ダウンロード装置を提供する。【解決手段】携帯端末１のソフトウェアの書き換えを行う書き換えソフトウェア２１と、携帯端末１のＲＦ回路／無線通信回路１２を介して携帯端末１のソフトウェアをダウンロードするダウンロードソフトウェア２２と、ダウンロードされたソフトウェアを蓄積する記憶媒体２４と、携帯端末１のソフトウェア更新処理の安全度を判定する更新安全度判定手段２７と、更新安全度判定手段２７により安全度が高いと判定された場合、書き換えソフトウェア２１により携帯端末１のソフトウェアを記憶媒体２４のソフトウェアに書き換えさせる制御手段とを有することを特徴とする。【選択図】  図１
2004297125.tif 000002
【特許請求の範囲】
【請求項１】
携帯端末のソフトウェアの書き換えを行う書き換え手段と、
前記携帯端末の無線通信手段を介して該携帯端末のソフトウェアをダウンロードするダウンロード手段と、
前記ダウンロード手段によりダウンロードされたソフトウェアを蓄積しておく蓄積手段と、
前記携帯端末のソフトウェア更新処理における安全度を判定する更新安全度判定手段と、
前記更新安全度判定手段により前記安全度が高いと判定された場合に、前記書き換え手段により前記携帯端末のソフトウェアを前記蓄積手段に蓄積されているソフトウェアに書き換えさせる制御手段とを有することを特徴とする携帯端末用ダウンロード装置。
【請求項２】
前記携帯端末用ダウンロード装置は、携帯端末又は携帯端末用充電台に搭載されていることを特徴とする請求項１に記載の携帯端末用ダウンロード装置。
【請求項３】
前記携帯端末用ダウンロード装置は、
前記携帯端末が携帯端末用充電台に設置された時刻及び該携帯端末用充電台から取り外された時刻を計測するとともに、所定時刻毎に、該携帯端末が該携帯端末用充電台に設置されている頻度を計測する設置状況計測手段を有し、
前記更新安全度判定手段は、前記設置状況計測手段によって得られた１日の設置状況のうち、前記携帯端末が携帯端末用充電台に設置されている頻度が最も高い時間帯を、該携帯端末のソフトウェア更新処理についての前記安全度が高い時間帯であると判定することを特徴とする請求項１又は２に記載の携帯端末用ダウンロード装置。
【請求項４】
前記携帯端末は、
携帯端末が操作されている時刻を計測するとともに、所定時刻毎に、該携帯端末が操作されている頻度を計測する使用状況計測手段を有し、
前記更新安全度判定手段は、前記使用状況計測手段によって得られた１日の使用状況のうち、前記携帯端末が使用されている頻度が最も低い時間帯を、該携帯端末のソフトウェア更新処理についての前記安全度が高い時間帯であると判定することを特徴とする請求項１又は２に記載の携帯端末用ダウンロード装置。
【請求項５】
前記携帯端末用ダウンロード装置は、
前記携帯端末が携帯端末用充電台に設置された時刻及び該携帯端末用充電台から取り外された時刻を計測するとともに、所定時刻毎に、該携帯端末が充電台に設置されている頻度を計測する設置状況計測手段と、
前記携帯端末が操作されている時刻を計測するとともに、所定時刻毎に、該携帯端末が操作されている頻度を計測する使用状況計測手段とを有し、
前記更新安全度判定手段は、前記設置状況計測手段によって得られた１日の設置状況のうち、前記携帯端末が携帯端末用充電台に設置されている頻度が最も高く、かつ、前記使用状況計手段によって得られた１日の使用状況のうち、該携帯端末が使用されている頻度が最も低い時間帯を、該携帯端末のソフトウェア更新処理についての前記安全度が高い時間帯であると判定することを特徴とする請求項１又は２に記載の携帯端末用ダウンロード装置。
【請求項６】
前記携帯端末用ダウンロード装置は、
前記携帯端末を固定する固定手段と、
前記書き換え手段による前記携帯端末のソフトウェアの書き換え中において、前記固定手段をロックするロック機構とを有することを特徴とする請求項１乃至５のいずれか一項記載の携帯端末用ダウンロード装置。
【請求項７】
前記携帯端末用ダウンロード装置は、
前記携帯端末のソフトウェア書き換え中に、該携帯端末に所望音を出力させることと、該携帯端末に所望表示をさせることの少なくとも一方をする書き換え中お知らせ制御手段を有することを特徴とする請求項１乃至６のいずれか一項記載の携帯端末用ダウンロード装置。
【請求項８】
前記携帯端末用ダウンロード装置は、
前記携帯端末の音声入力部を介して周囲の音情報を取得し、該音情報の変動を監視する音監視手段を有し、
前記更新安全度判定手段は、前記音監視手段にて得られた音情報の変動値がしきい値以上の場合、前記携帯端末のソフトウェア書き換え処理の実行を禁止することを特徴とする請求項１乃至７のいずれか一項記載の携帯端末用ダウンロード装置。
【請求項９】
前記携帯端末用ダウンロード装置は、
前記携帯端末の撮像部を介して周囲の画像情報を取得し、該画像情報の変動を監視する画像監視手段を有し、
前記更新安全度判定手段は、前記画像監視手段にて得られた画像情報の変動値がしきい値以上の場合、前記携帯端末のソフトウェア書き換え処理の実行を禁止することを特徴とする請求項１乃至７のいずれか一項記載の携帯端末用ダウンロード装置。
【発明の詳細な説明】
【０００１】
【発明の属する技術分野】
本発明は、携帯端末のソフトウェアの更新処理をする携帯端末用ダウンロード装置に関する。
【０００２】
【従来の技術】
従来、携帯電話などの携帯端末（携帯通信端末）は、図８に示すように、携帯端末用の充電台に設置され接続されることにより充電される。また、近年の携帯端末は、本来の音声通話の他に、電話帳機能、住所録機能、メモ帳機能、スケジュール管理機能、電子メール編集機能、電子メール送受信機能、インターネットなどへのネットワークアクセス機能、静止画像又は動画像の撮像及び表示機能、メロディ編集機能、発音機能及びゲーム機能などを備え、さらに年々高機能化している。
【０００３】
携帯端末における上記様々な高機能化に伴い、これらの機能を実現するソフトウェアの容量は膨大化し、そのソフトウェア内のバグも増加する方向にある。このため、携帯端末は、ディバッグ作業でディバッグしきれなかったバグを有したまま、出荷される可能性を有しており、出荷後に発覚したバグに対しては、携帯端末の回収又は店頭などでのディバッグしたソフトウェアへの書き換えなどによって対応している。
【０００４】
ここで、バグが発見された場合における回収作業又は店頭でのソフトウェア更新などでは、非常に費用を要することとなる。このような問題に対しては、バグをなくすために、携帯端末メーカ間にてバグ情報の共有化を行なうなどの方法も検討されている。
【０００５】
一方、年々高機能化、肥大化するソフトウェアに対して、完全にバグをなくすことは不可能に近い。このため、出荷後であっても容易にソフトウェアを更新可能な構造が要望されている。
【０００６】
このような状況に対して、携帯電話端末のソフトウェアを無線回線にてダウンロードし、更新する技術が検討されている。
【０００７】
【特許文献１】
特開２００１−１１９７４１号公報
【０００８】
【発明が解決しようとする課題】
しかしながら、携帯端末においてソフトウェアをダウンロードし、ソフトウェアの書換えを行なう場合、その携帯端末の持っているユーザが無線サービスエリアを出たり入ったりするため、通信接続できたりできなかったりする。また、都市部では、周囲を車が移動していることなどにより、絶えずマルチパス環境も変化している。このような伝搬環境の変化に伴い、ソフトウェアのダウンロードは、１度で正しくダウンロードできるとは限らない。そこで、伝播エラーに強い変調方式の利用、強力なエラー訂正機能の付加、又は再送処理などを加えることが必要となってくる。
【０００９】
尚、伝播環境に強い変調方式を用いるということは、データの伝送速度の遅い変調方式を用いることになってしまう。また、強力なエラー訂正機能を付加するということは目的とするソフトウェアの容量にさらに訂正用のデータを加えることになり、送信するデータ容量が増加する。このため、ソフトウェア全文をダウンロードするのに必要とする時間は長くなってしまう。
【００１０】
また、伝搬環境の悪い場所では、更に再送処理が加わる。これらの処理ではすべて電力を消費するが、携行中の携帯端末では内部バッテリーにより処理を行っている。このため、従来においては、使用者が実際に携帯端末を使用できる時間が短くなるという問題点を有している。
【００１１】
また、ダウンロードするソフトウェアも複数に分割した形でダウンロードすることにより、無線サービスエリアから外れたりした場合、又は使用者の操作などが行なわれることによりダウンロードが中断された場合にも、再ダウンロードするデータの容量を最小限に低減する工夫が必要となる。このため、ダウンロードするソフトウェアを蓄積しておくための記憶媒体（メモリ）もその分必要とする。
【００１２】
さらに、ソフトウェアの書換えの際に、内部バッテリーの供給電圧の低減により、ソフトウェアの書き込みを失敗する可能性もある。この場合、最悪携帯端末自体が使用不能になる可能性を有している。
【００１３】
本発明は、上記問題点を解決するためになされたものであり、安定した伝搬環境下で携帯端末のソフトウェアをダウンロードすることができ、携帯端末のソフトウェアについて不具合を起こす危険性を低減しながら、安全に携帯端末のソフトウェアを更新することができる携帯端末用ダウンロード装置を提供することを目的とする。
【００１４】
【課題を解決するための手段】
上記目的を達成するために、請求項１に記載の発明は、携帯端末のソフトウェアの書き換えを行う書き換え手段と、前記携帯端末の無線通信手段を介して該携帯端末のソフトウェアをダウンロードするダウンロード手段と、前記ダウンロード手段によりダウンロードされたソフトウェアを蓄積しておく蓄積手段と、前記携帯端末のソフトウェア更新処理における安全度を判定する更新安全度判定手段と、前記更新安全度判定手段により前記安全度が高いと判定された場合に、前記書き換え手段により前記携帯端末のソフトウェアを前記蓄積手段に蓄積されているソフトウェアに書き換えさせる制御手段とを有することを特徴とする。
【００１５】
請求項２に記載の発明は、前記携帯端末用ダウンロード装置が携帯端末又は携帯端末用充電台に搭載されていることを特徴とする。
【００１６】
請求項３に記載の発明は、前記携帯端末用ダウンロード装置が、前記携帯端末が携帯端末用充電台に設置された時刻及び該携帯端末用充電台から取り外された時刻を計測するとともに、所定時刻毎に、該携帯端末が該携帯端末用充電台に設置されている頻度を計測する設置状況計測手段を有し、前記更新安全度判定手段は、前記設置状況計測手段によって得られた１日の設置状況のうち、前記携帯端末が携帯端末用充電台に設置されている頻度が最も高い時間帯を、該携帯端末のソフトウェア更新処理についての前記安全度が高い時間帯であると判定することを特徴とする。
【００１７】
請求項４に記載の発明は、前記携帯端末が、携帯端末が操作されている時刻を計測するとともに、所定時刻毎に、該携帯端末が操作されている頻度を計測する使用状況計測手段を有し、前記更新安全度判定手段は、前記使用状況計測手段によって得られた１日の使用状況のうち、前記携帯端末が使用されている頻度が最も低い時間帯を、該携帯端末のソフトウェア更新処理についての前記安全度が高い時間帯であると判定することを特徴とする。
【００１８】
請求項５に記載の発明は、前記携帯端末用ダウンロード装置が、前記携帯端末が携帯端末用充電台に設置された時刻及び該携帯端末用充電台から取り外された時刻を計測するとともに、所定時刻毎に、該携帯端末が充電台に設置されている頻度を計測する設置状況計測手段と、前記携帯端末が操作されている時刻を計測するとともに、所定時刻毎に、該携帯端末が操作されている頻度を計測する使用状況計測手段とを有し、前記更新安全度判定手段は、前記設置状況計測手段によって得られた１日の設置状況のうち、前記携帯端末が携帯端末用充電台に設置されている頻度が最も高く、かつ、前記使用状況計手段によって得られた１日の使用状況のうち、該携帯端末が使用されている頻度が最も低い時間帯を、該携帯端末のソフトウェア更新処理についての前記安全度が高い時間帯であると判定することを特徴とする。
【００１９】
請求項６に記載の発明は、前記携帯端末用ダウンロード装置が、前記携帯端末を固定する固定手段と、前記書き換え手段による前記携帯端末のソフトウェアの書き換え中において、前記固定手段をロックするロック機構とを有することを特徴とする。
【００２０】
請求項７に記載の発明は、前記携帯端末用ダウンロード装置が、前記携帯端末のソフトウェア書き換え中に、該携帯端末に所望音を出力させることと、該携帯端末に所望表示をさせることの少なくとも一方をする書き換え中お知らせ制御手段を有することを特徴とする。
【００２１】
請求項８に記載の発明は、前記携帯端末用ダウンロード装置が、前記携帯端末の音声入力部を介して周囲の音情報を取得し、該音情報の変動を監視する音監視手段を有し、前記更新安全度判定手段は、前記音監視手段にて得られた音情報の変動値がしきい値以上の場合、前記携帯端末のソフトウェア書き換え処理の実行を禁止することを特徴とする。
【００２２】
請求項９に記載の発明は、前記携帯端末用ダウンロード装置が、前記携帯端末の撮像部を介して周囲の画像情報を取得し、該画像情報の変動を監視する画像監視手段を有し、前記更新安全度判定手段は、前記画像監視手段にて得られた画像情報の変動値がしきい値以上の場合、前記携帯端末のソフトウェア書き換え処理の実行を禁止することを特徴とする。
【００２３】
【発明の実施の形態】
以下、図面を参照し、本発明の一実施形態に係る携帯端末用ダウンロード装置について説明する。本実施形態では携帯端末用ダウンロード装置を通信端末用の充電台に搭載した例を挙げている。
【００２４】
図１は本発明の実施形態に係る携帯端末及び充電台を示すブロック図である。携帯端末（携帯通信端末）１とその携帯端末１用の充電台２とはインターフェースＩ／Ｆを介して接続されている。携帯端末１は、例えば携帯電話であり、アンテナ１１と、ＲＦ回路／無線通信回路１２と、処理演算部１３と、データ用メモリ１４と、使用計測手段１５と、プログラム用メモリ１６と、スピーカ／マイク１７と、表示部／撮像部１８と、充電回路１９とを備えている。ここで、使用計測手段１５は、携帯端末１が使用者に操作されている時刻を計測するとともに、所定時刻毎に（例えば１時間毎に）、その携帯端末１が使用者に操作されている頻度を計測する使用状況計測手段となるものである。
【００２５】
充電台２は、書き換えソフトウェア２１と、ダウンロードソフトウェア２２と、ソフトウェア認証手段２３と、記憶媒体２４と、充電回路２５と、端末設置計測手段２６と、更新安全度判定手段２７と、制御手段（図示せず）とを備えている。書き換えソフトウェア２１は、携帯端末１のソフトウェアの書き換えを行う書き換え手段となるものである。ダウンロードソフトウェア２２は、携帯端末１の無線通信手段であるアンテナ１１及びＲＦ回路／無線通信回路１２を介して、携帯端末１のソフトウェアをダウンロードするダウンロード手段となるものである。
【００２６】
ソフトウェア認証手段２３は、ダウンロードされたソフトウェアの有効性判定を行う有効性判定手段となるものである。記憶媒体２４は、ダウンロードされたソフトウェアを蓄積しておく蓄積手段となるものである。充電回路２５は、携帯端末１の内部電源（バッテリー）を充電するものである。端末設置計測手段２６は、携帯端末１が充電台２に設置された時刻及び充電台２から取り外された時刻を計測するとともに、所定時刻毎に、携帯端末１が充電台２に設置されている頻度を計測する設置状況計測手段となるものである。
【００２７】
更新安全度判定手段２７は、携帯端末１のソフトウェア更新処理における安全度を判定するものである。充電台２の制御手段は、充電台２全体を制御し、更新安全度判定手段２７により安全度が高いと判定された場合、書き換えソフトウェア２１により携帯端末１のソフトウェアを記憶媒体２４に蓄積されているソフトウェアに書き換えさせる制御をする。
【００２８】
次に、充電台２の動作について説明する。充電台２の制御手段は、ダウンロードソフトウェア２２を起動させ、携帯端末１のＲＦ回路／無線通信回路１２の無線手段を利用して、携帯端末１のソフトウェアを基地局１０１に接続するサーバ１０２からダウンロードする。そして、充電台２の制御手段は、ダウンロードされたソフトウェアを記憶媒体２４に記憶させる。
【００２９】
次いで、充電台２の制御手段は、端末設置計測手段２６及び使用計測手段１５の計測結果に基づいて、ソフトウェアの書換え中に使用者によって携帯端末１が使用されることがない最も安全な時間帯を見つけだし、その時間帯に書き換えソフトウェア２１において携帯端末１のソフトウェアの書換え処理を実行させる。
【００３０】
次に、充電台２における端末設置計測手段２６の計測結果の一例について、図２を参照して説明する。図２は端末設置計測手段２６の計測結果の一例であり、ある１日において携帯端末１が充電台２に設置される状況を示す図である。図２に示されているように、０時（２４時）から７時ごろまで、携帯端末１が充電台２に設置されている。また、２０時から２４時までは断続的に携帯端末１が充電台２に設置されている。
【００３１】
次に、充電台２における端末設置計測手段２６の計測結果の他の例について、図３を参照して説明する。図３は端末設置計測手段２６の計測結果の一例であり、ある１ヶ月における携帯端末１が充電台２に設置される状況を示す図である。図３において、斜線で示した時間帯は、充電台２に携帯端末１が設定される頻度が最も高い時間帯を示している。つまり、この時間帯（２４時から５時まで）は使用者が携帯端末１を充電台２から取り上げる確率が最も低いことを意味している。
【００３２】
そして、充電台２の更新安全度判定手段２７は、端末設置計測手段２６の計測結果である１日の設置状況のうち、携帯端末１が充電台２に設置されている頻度が最も高い時間帯（例えば２４時から５時まで）を、その携帯端末１のソフトウェア更新処理について安全度が高い時間帯であると判定し、その時間帯のみ携帯端末１のソフトウェア更新処理を許可する。
【００３３】
次に、携帯端末１における使用計測手段１５の計測結果の一例について、図４を参照して説明する。図４は使用計測手段１５の計測結果の一例であり、ある１日における携帯端末１の使用状況を示す図である。図４に示されているように、朝７時あたり、昼１２時あたり、夜２０時から１時あたりに携帯端末１が利用されている。
【００３４】
次に、携帯端末１における使用計測手段１５の計測結果の他の例について、図５を参照して説明する。図５は使用計測手段１５の計測結果の一例であり、ある１ヶ月における携帯端末１の使用状況を示す図である。図５に示されているように、朝７時あたり、昼１２時あたり、夕方１８時あたり、夜２０時から〜１時まであたりに多く利用されている。そして、図５の斜線部（２時３０分から５時５０分まで）において、携帯端末１の使用頻度が最も低くなっている。
【００３５】
そして、充電台２の更新安全度判定手段２７は、使用計測手段１５の計測結果である１日における携帯端末１の使用状況のうち、携帯端末１が使用されている頻度が最も低い時間帯（例えば２時３０分から５時５０分まで）を、携帯端末１のソフトウェア更新処理についての安全度が高い時間帯であると判定し、その時間帯のみ携帯端末１のソフトウェア更新処理を許可する。
【００３６】
図６は、ある１ヶ月における携帯端末１を充電台２に設置している状況と、その１ヶ月における携帯端末１の使用状況とを重ねた図である。右上がり斜線領域は充電台２に携帯端末１が設置されている頻度が最も高い時間帯であり、左上がり斜線領域は携帯端末１が使用されている頻度が最も低い時間帯である。右上がり斜線と左上がり斜線との重なった時間帯は、充電台２に携帯端末１が設置されている頻度が最も高く、かつ、携帯端末１が使用されている頻度が最も低い時間帯である。
【００３７】
そこで、充電台２の更新安全度判定手段２７は、斜線が重なった時間帯が最も安全に携帯端末１のソフトウェアの書換えを行なうことが可能な時間帯であると判断することができ、その時間帯のみ携帯端末１のソフトウェア更新処理を許可する。
【００３８】
次に、更新安全度判定手段２７の上記以外の動作について図７を参照して説明する。図７は更新安全度判定手段２７の動作を説明するための図である。図７では携帯端末１が充電台２に設置されており、携帯端末１のソフトウェアの書換え実行可能な時間帯となっているものとする。この時間帯では、携帯端末１のスピーカ／マイク１７が周囲の音情報を入力し、また携帯端末１の表示部／撮像部１８が周囲の画像情報（又は受光量の変化など）を入力する。例えば、使用者２００が携帯端末１に近づくと、電灯３００の光がその使用者２００で遮られ、携帯端末１の表示部／撮像部１８に入射する光量が変化する。
【００３９】
そして、充電台２の更新安全度判定手段２７は、携帯端末１から上記音情報及び画像情報を取り込み、その音情報の時間的変動が所定のしきい値を超えた場合、又はその画像情報の時間的変動が所定のしきい値を超えた場合、携帯端末１及び充電台２の周辺に携帯端末１を使用する可能性のある使用者が存在すると判断し、ソフトウェアの書換え処理の実行を禁止する。
これらにより、使用者が常日頃と異なる行動パターンをとった場合においても、ソフトウェアの書換え時に携帯端末１が充電台２から取り外されるなどの状況を回避することができる。
【００４０】
次に、他の実施形態（１）について説明する。
充電台２の端末設置計測手段２６は、携帯端末１のスケジュール情報を取得しそのスケジュール情報から日毎の種類（仕事日、休日など）を取得し、上記設置状況の計測結果を日毎の種類に分けて計測する。そして、更新安全度判定手段２７は、端末設置計測手段２６の計測結果に基づき、日毎の種類毎の１日における設置状況のうち、携帯端末１が充電台２に設置されている確率が最も高い日の種類（例えば休日）及び時間帯に、携帯端末１のソフトウェア書き換え処理を許可する。
【００４１】
次に、他の実施形態（２）について説明する。
携帯端末１の使用計測手段１５は、携帯端末１のスケジュール情報から日毎の種類（仕事日、休日）を取得し、携帯端末１の使用状況の計測結果を日毎の種類に分けて計測する。そして、更新安全度判定手段２７は、使用計測手段１５の計測結果に基づき、日毎の種類毎の１日における使用状況のうち、携帯端末１が使用されている確率が最も低い日の種類及び時間帯に、携帯端末１のソフトウェア書き換え処理を許可する。
【００４２】
次に、他の実施形態（３）について説明する。
充電台２は、携帯端末１を設置した際にその携帯端末１を固定する固定手段と、書き換えソフトウェア２１による携帯端末１のソフトウェアの書き換え中において、固定手段をロックするロック機構とを有することとする。これにより、携帯端末１のソフトウェア書き換え処理中に、携帯端末１が充電台２から取り外されることを防止することができる。
【００４３】
次に、他の実施形態（４）について説明する。
充電台２は、携帯端末１のソフトウェア書き換え中に、その携帯端末１のスピーカ／マイク１７に所望音（例えば書き換え中である旨を示す所定メロディ）を出力させることと、その携帯端末１の表示部／撮像部１８に所望表示（書き換え中である旨の表示）をさせることの少なくとも一方をする書き換え中お知らせ制御手段を有することとする。これにより、携帯端末１のソフトウェア書き換え処理中であることを使用者に知らせることができる。
【００４４】
次に、他の実施形態（５）について説明する。
携帯端末１がＲＦ回路／無線通信回路１２を介してダウンロードするデータは携帯端末１のソフトウェアとそのソフトウェアを試験するための試験情報とから構成されるものとする。その試験情報は、擬似的な入力信号と、その入力信号に対する内部状態の推移と、出力信号などから構成される。
【００４５】
ダウンロードされたソフトウェアの有効性判定を行なう有効性判定手段となるソフトウェア認証手段２３は、携帯端末１の処理部がアクセスするソフトウェアを蓄積しているメモリを、充電台２のソフトウェアを蓄積しているメモリに変更することにより、充電台２のソフトウェアを携帯端末１の処理部で実行させる。次いで、ソフトウェア認証手段２３は、試験情報に基づいて、擬似的な動作試験を行い、試験情報に含まれる内部状態の推移及び出力信号と、携帯端末１における処理部の内部状態の推移及び出力信号とを比較することにより、ダウンロードされたソフトウェアの有効性を判定する。そして、ソフトウェア認証手段２３は、有効と判定した場合、ソフトウェアを携帯端末１へ書き込み処理することを許可する。
【００４６】
これらにより、上記実施形態によれば、携帯端末１が充電台２に設置されており、更に使用者による携帯端末１の使用可能性が低い場合に、ソフトウェアのダウンロードを行うことにより、安定した伝搬環境化でのダウンロードを実現することができる。また、上記実施形態によれば、使用者による携帯端末１の使用可能性が低い場合に、携帯端末１へのソフトウェアの書き込み処理を行うため、ソフトウェア書換え中に充電台２から携帯端末１を取り外すことによる書き込み不具合を起こす危険性を低減でき、安全にソフトウェアの更新を行うことが可能となる。
【００４７】
以上、本発明の実施形態について図面を参照して詳述してきたが、具体的な構成はこの実施形態に限られるものではなく、本発明の要旨を逸脱しない範囲の設計変更等も含まれる。
上記実施形態では、携帯端末の一例として携帯電話を挙げることができるが、本発明はこれに限定されるものではなく、ＰＨＳ（Ｐｅｒｓｏｎａｌ  Ｈａｎｄｙｐｈｏｎｅ  Ｓｙｓｔｅｍ）、ノート型パーソナルコンピュータ、ＰＤＡ（Ｐｅｒｓｏｎａｌ  Ｄｉｇｉｔａｌ  Ａｓｓｉｓｔａｎｃｅ）などの通信端末に本発明を適用してもよい。
【００４８】
また上記実施形態では携帯端末用ダウンロード装置を通信端末用の充電台２に搭載した例を挙げているが、本発明はこれに限定されるものではなく、携帯端末用ダウンロード装置を携帯端末１に搭載してもよい。
【００４９】
【発明の効果】
以上説明したように、本発明によれば、安定した伝搬環境下で携帯端末のソフトウェアをダウンロードすることができ、携帯端末のソフトウェアについて不具合を起こす危険性を低減しながら、安全に携帯端末のソフトウェアを更新することができる。
【図面の簡単な説明】
【図１】本発明の実施形態に係る携帯端末及び充電台を示すブロック図である。
【図２】端末設置計測手段の計測結果の一例であり、１日の携帯端末の設置状況を示す図である。
【図３】端末設置計測手段の計測結果の一例であり、１ヶ月の携帯端末の設置状況を示す図である。
【図４】使用計測手段の計測結果の一例であり、１日の携帯端末１の使用状況を示す図である。
【図５】使用計測手段の計測結果の一例であり、１ヶ月の携帯端末１の使用状況を示す図である。
【図６】１ヶ月における携帯端末の設置状況と使用状況を示す図である。
【図７】更新安全度判定手段の動作を説明するための図である。
【図８】従来の携帯端末の構成を示すブロック図である。
【符号の説明】
１；携帯端末（携帯通信端末）、２；充電台、１１；アンテナ、１２；ＲＦ回路／無線通信回路、１３；処理演算部、１４；データ用メモリ、１５；使用計測手段、１６；プログラム用メモリ、１７；スピーカ／マイク、１８；表示部／撮像部、１９；充電回路、２１；書き換えソフトウェア、２２；ダウンロードソフトウェア、２３；ソフトウェア認証手段、２４；記憶媒体、２５；充電回路、２６；端末設置計測手段、２７；更新安全度判定手段
【図１】
2004297125.tif 000003
【図２】
2004297125.tif 000004
【図３】
2004297125.tif 000005
【図４】
2004297125.tif 000006
【図５】
2004297125.tif 000007
【図６】
2004297125.tif 000008
【図７】
2004297125.tif 000009
【図８】
2004297125.tif 000010